(57)【要約】【課題】レシートロールの交換やジャム処理作業の終了後にレシートを速やかに発行することができる商品データ処理装置を提供することを課題とする。【解決手段】商品データ処理装置は、プリンタユニットと、プリンタユニットを引き出し可能に収容した筐体と、プリンタユニットのカバーの開閉状態を検出する開閉センサと、制御部と、を有する。制御部は、プリンタユニットを筐体から引き出した状態で開閉センサを介してカバーが閉じたことを検出した時点で、プリンタユニットによるレシートの発行が可能な場合に、プリンタユニットによるレシートの発行を許可する。【選択図】      図４
2019144993.tif 000002
【特許請求の範囲】
【請求項１】
プリンタユニットと、
前記プリンタユニットを引き出し可能に収容した筐体と、
前記プリンタユニットのカバーの開閉状態を検出する開閉センサと、
前記プリンタユニットを前記筐体から引き出した状態で前記開閉センサを介して前記カバーが閉じたことを検出した時点で、前記プリンタユニットによるレシートの発行が可能な場合に、前記プリンタユニットによるレシートの発行を許可する制御部と、
を有する商品データ処理装置。
【請求項２】
前記制御部がレシートの発行を許可したことをオペレータに知らせる報知手段をさらに有する、
請求項１の商品データ処理装置。
【請求項３】
前記報知手段は、前記プリンタユニットに設けられている、
請求項２の商品データ処理装置。
【請求項４】
前記カバーは、前記プリンタユニットの上部に設けられ、レシートロールに印字する印字ヘッドを備えている、
請求項１の商品データ処理装置。
【請求項５】
前記制御部は、前記開閉センサを介して前記カバーが閉じたことを検出た時点で、前記プリンタユニットによるレシートの発行が可能な場合に、前記プリンタユニットによるレシートの発行を１度だけ許可し、その後、レシートの発行を禁止する、
請求項１の商品データ処理装置。
【請求項６】
プリンタユニットと、
前記プリンタユニットを引き出し可能に収容した筐体と、
前記プリンタユニットの前記筐体への収容状態を検出する収容センサと、
前記プリンタユニットのカバーの開閉状態を検出する開閉センサと、
前記プリンタユニットの異常を検出する異常センサと、
前記異常センサにより前記異常が検出されたことに応じて前記プリンタユニットによる印字を禁止し、前記収容センサにより前記プリンタユニットが前記筐体に収容されていないことが検出され、かつ前記開閉センサにより前記カバーが開いていることが検出された後、前記開閉センサにより前記カバーが閉じていることが検出され、かつ前記異常センサにより前記異常が検出されていない場合に、前記プリンタユニットによる印字を許可する制御部と、
を有する商品データ処理装置。
【請求項７】
前記制御部は、印字を許可した後、１枚の印刷物の発行のための印字を前記プリンタユニットにより行ってから前記収容センサにより前記プリンタユニットが前記筐体に収容されていることが検出されるまで、前記プリンタユニットによる印字を禁止する、
請求項６の商品データ処理装置。
【発明の詳細な説明】
【技術分野】
【０００１】
本発明の実施形態は、例えば、レシートを発行するプリンタを備えた商品データ処理装置に関する。
【背景技術】
【０００２】
従来、商品のコード情報を読み取るスキャナ及びレシートを発行するプリンタを一体に備えたＰＯＳ（point of sales）端末が知られている。商品のコード情報をスキャナにかざすため、スキャナの手前側には、商品を取り扱うための比較的大きな作業スペースが必要となる。よって、このＰＯＳ端末では、プリンタの上方にスキャナを重ねて配置し、プリンタの前方のスペースを作業スペースとして利用している。
【０００３】
一方、プリンタのレシートロールが無くなった場合、或いはプリンタでジャムが発生した場合、プリンタをＰＯＳ端末の筐体から前方の作業スペースまで引き出して、レシートロールを交換したり、ジャム処理を行なったりする。
【先行技術文献】
【特許文献】
【０００４】
【特許文献１】特開２０１４−３８６４９号公報
【発明の概要】
【発明が解決しようとする課題】
【０００５】
レシートロールの交換やジャム処理作業は、商品を購入する客を待たせた状態で行うことが多く、できるだけ短時間で作業を終了して、レシートを速やかに客に渡すことが望ましい。
【０００６】
しかし、上述した従来のＰＯＳ端末のようにプリンタを作業スペースへ引き出して作業する場合、作業終了後にプリンタを筐体内の元の位置に戻してからレシートを発行可能な状態になるため、レシート発行までの時間がその分長くなる。また、プリンタを元の位置に戻した時点でジャムが解消していない場合などには、再びプリンタを引き出してジャム処理作業をする必要があり、作業が煩雑で多くの時間を要することになる。
【０００７】
よって、レシートロールの交換やジャム処理作業の終了後にレシートを速やかに発行することができる商品データ処理装置の開発が望まれている。
【課題を解決するための手段】
【０００８】
実施形態に係る商品データ処理装置は、プリンタユニットと、プリンタユニットを引き出し可能に収容した筐体と、プリンタユニットのカバーの開閉状態を検出する開閉センサと、制御部と、を有する。制御部は、プリンタユニットを筐体から引き出した状態で開閉センサを介してカバーが閉じたことを検出した時点で、プリンタユニットによるレシートの発行が可能な場合に、プリンタユニットによるレシートの発行を許可する。
【図面の簡単な説明】
【０００９】
【図１】図１は、実施形態に係る商品データ処理装置を示す外観斜視図である。
【図２】図２は、図１の商品データ処理装置の筐体からプリンタユニットを引き出した状態を示す側面図である。
【図３】図３は、図２のプリンタユニットのカバーを開いた状態を示す側面図である。
【図４】図４は、図１の商品データ処理装置のプリンタユニットの制御系を示すブロック図である。
【図５】図５は、図１の商品データ処理装置のプリンタユニットの第１の動作例を説明するためのフローチャートである。
【図６】図６は、図５とともに第１の動作例を説明するためのフローチャートである。
【図７】図７は、図１の商品データ処理装置のプリンタユニットの第２の動作例を説明するためのフローチャートである。
【図８】図８は、図７とともに第２の動作例を説明するためのフローチャートである。
【発明を実施するための形態】
【００１０】
以下、図面を参照しながら実施形態について詳細に説明する。  
図１に示すように、実施形態に係る商品データ処理装置１００（以下、単に装置１００と称する）は、商品を販売する店の店員が対向する前面１１を有する筐体１０を有する。筐体１０の背面側には、背面カバー２０が着脱可能に取り付けられている。背面カバー２０は、商品を購入する客が通る通路に対向する傾斜した背面２１を有する。背面２１は、客に対する各種情報を表示する表示面として機能する。
【００１１】
筐体１０の前面１１側には、読み取り対象となる商品を店員が取り扱うための比較的広い作業スペースＳを確保する必要がある。筐体１０の前面１１は、作業スペースＳをできるだけ広くするため、鉛直方向に沿った平らな（突起物の無い）平面に形成されている。筐体１０の前面１１を平らな垂直面にすると、スキャナユニット３０の読取窓３２に商品のバーコードをかざす際に、商品が突起物にぶつかることがなく、作業性を向上させることができる。
【００１２】
作業スペースＳと筐体１０の間には、商品を入れたカゴが装置１００の筐体１０に衝突することを防止するための保護ガイド１１０が取り付けられている。保護ガイド１１０は、カゴを置く台１２０の上面１２１から上方に突出して設けられている。保護ガイド１１０の形状は図示のものに限らずいかなる形状のものであってもよい。また、保護ガイド１１０は必須の構成ではない。
【００１３】
筐体１０内には、スキャナユニット３０およびプリンタユニット４０が上下に並べて設けられている。本実施形態では、プリンタユニット４０をスキャナユニット３０の下に並べて筐体１０内に収容配置した。このため、装置１００の筐体１０は、比較的縦長の構造を有する。
【００１４】
スキャナユニット３０は、筐体１０の前面１１と面一に配置可能な前面３１を有する。スキャナユニット３０の前面３１には、商品のバーコードを読み取るための読取窓３２が設けられている。スキャナユニット３０は、読取窓３２を筐体１０の前面１１と略平行になる姿勢に配置可能であるとともに、筐体１０の前面１１に対して読取窓３２を下方に傾斜した姿勢に配置可能である。つまり、スキャナユニット３０は、読取窓３２を任意の角度に傾斜させる図示しないチルト機構を備えている。
【００１５】
プリンタユニット４０は、筐体１０の下方に設けた収容部１２に対して挿抜可能に設けられている。つまり、スキャナユニット３０の下方に、プリンタユニット４０を挿抜可能に収容するための矩形箱状の収容部１２が設けられている。収容部１２の前面側は、筐体１０の前面１１に開放している。収容部１２の底には、図２および図３に示すように、プリンタユニット４０の底面を支える２本のレール４３、４３（一方のみ図示）が設けられている。
【００１６】
２本のレール４３、４３は、図２および図３に示すように、筐体１０の前方の作業スペースＳに向けて収容部１２から引き出し可能に設けられている。２本のレールは、筐体１０から引き出した図示の状態で、プリンタユニット４０を筐体１０の前面１１より手前側（作業スペースＳ側）に引き出した位置で支持する。また、２本のレール４３、４３は、プリンタユニット４０を収容部１２に押し込む際に、プリンタユニット４０の底面を支えながら縮んでプリンタユニット４０とともに収容部１２内に収納される。
【００１７】
プリンタユニット４０内には、図示しないレシートロールが収容配置されている。レシートロールは、例えば、幅が数十ミリメートル程度で長さが数十メートルの細長いレシート用紙をロール状に巻いたものである。プリンタユニット４０の前面４１には、レシートロールから切り離したレシートを排出するための排出口４２が設けられている。
【００１８】
また、プリンタユニット４０の上部には、レシートロールの交換及びジャム処理のため、プリンタユニット４０の内部にアクセスするための開口部４４が設けられている。開口部４４には、開口部４４を開閉するカバー４６が設けられている。図３は、プリンタユニット４０を筐体１０の収容部１２から引き出してカバー４６を開いた状態を示す。
【００１９】
プリンタユニット４０を収容する収容部１２は、筐体１０の下端より上方に離間した位置に設けられている。これにより、プリンタユニット４０にレシートロールを給紙する際に、プリンタユニット４０を収容部１２から前方に大きく引き出すことができる。つまり、筐体１０の前面１１側には、上述した保護ガイド１１０が設けられているため、保護ガイド１１０が台１２０の上面から上方に突出した高さより高い位置に収容部１２を設け、収容部１２から引き出したプリンタユニット４０が保護ガイド１１０に干渉しないようにしている。
【００２０】
レシートロールは、交換回数を少なくするため、比較的大径のものが使用される。このため、レシートの排出口４２を前面４１に有するプリンタユニット４０は、レシートロールの径方向、すなわちプリンタユニット４０の上下方向および前後方向に所定の大きさを有する。このため、本実施形態では、プリンタユニット４０を筐体１０の下方に配置し、プリンタユニット４０の背面側を背面カバー２０の内面に向けて突出させた。
【００２１】
つまり、本実施形態では、スキャナユニット３０より前後方向の寸法が大きいプリンタユニット４０を筐体１０の下方に配置した。そして、プリンタユニット４０の上にスキャナユニット３０を配置した。さらに、スキャナユニット３０の前面３１およびプリンタユニット４０の前面４１を筐体１０の前面１１と略面一に配置した。このため、筐体１０の背面側を覆う背面カバー２０を図示のように下方に向けて背面側に傾斜したくさび型にした。
【００２２】
このように、比較的大きなプリンタユニット４０を下方に配置し、比較的小さいスキャナユニット３０を上方に配置することで、筐体１０を安定して設置することができる。
【００２３】
図１に示すように、装置１００は、プロセッサを搭載した図示しない制御基板を内蔵した操作パネル５０を有する。操作パネル５０の制御基板は、装置１００を制御する制御部として機能する。この他に、装置１００は、オプションとして、操作パネル５０の側面に取り付けたキーボード６０、およびサブパネル７０を備えている。
【００２４】
操作パネル５０は、前面側（店員側）に操作画面５１を有し、筐体１０の上端に回動可能に取り付けられている。つまり、操作パネル５０は、操作画面５１の向きを変更可能な状態で筐体１０の上端に取り付けられている。操作パネル５０は、スキャナユニット３０のさらに上方に配置されている。操作パネル５０は、画像を表示可能な操作画面５１にタッチセンサを備え、操作画面５１に表示されている各種ボタンに店員が指で触れることで各種の入力操作が可能となっている。
【００２５】
キーボード６０は、カードリーダ６１を備えている。キーボード６０は、乗算キー、小計キーなどを有する。カードリーダ６１は、クレジットカードやポイントカードに記録されたデータを読み取る。図１では、磁気カードを読み取り可能なカードリーダを示してあるが、接触式ＩＣカードや非接触式ＩＣカードを読み取り可能なものであってもよい。
【００２６】
サブパネル７０は、アーム７２を介して筐体１０の側方に突出して取り付けられている。アーム７２は、サブパネル７０の操作面７１を客に向けた図示の姿勢や操作面７１を店員に向けた姿勢にサブパネル７０を回動可能に支持している。サブパネル７０は、客が操作する端末として使用可能であるとともに、店員が操作する補助端末としても使用可能である。
【００２７】
図４は、上述したプリンタユニット４０の要部回路構成を示すブロック図である。プリンタユニット４０は、操作パネル５０に接続され、操作パネル５０からのプリント要求に応じてレシートを発行する。
【００２８】
プリンタユニット４０は、プロセッサ８１、メインメモリ８２、印字ヘッド８３、ＬＥＤランプ８４、レシートロールセンサ８５、ジャムセンサ８６、収容センサ８７、開閉センサ８８、インタフェースユニット８９、及び伝送路９０等を備える。プロセッサ８１、メインメモリ８２、印字ヘッド８３、ＬＥＤランプ８４、レシートロールセンサ８５、ジャムセンサ８６、収容センサ８７、開閉センサ８８、およびインタフェースユニット８９は、伝送路９０を介して接続される。
【００２９】
プリンタユニット４０においては、プロセッサ８１及びメインメモリ８２を伝送路９０で接続することによって、プリンタユニット４０を制御するための情報処理を行うコンピュータを構成する。なお、プリンタユニット４０は、伝送路９０に接続された補助記憶ユニットをさらに備え、この補助記憶ユニットを補助記憶部分として含んで上記のコンピュータが構成されてもよい。当該補助記憶ユニットとしては、例えばＥＥＰＲＯＭ（登録商標）（electric erasable programmable read-only memory）が用いられる。補助記憶ユニットとしては、ＨＤＤ（hard disc drive）又はＳＳＤ（solid state drive）などを適用することもできる。
【００３０】
プロセッサ８１は、上記コンピュータの中枢部分に相当する。プロセッサ８１は、オペレーティングシステム、ファームウェア及びアプリケーションプログラムに従って、プリンタユニット４０としての各種の機能を実現するべく各部を制御する。
【００３１】
メインメモリ８２は、上記コンピュータの主記憶部分に相当する。メインメモリ８２は、不揮発性のメモリ領域と揮発性のメモリ領域とを含む。メインメモリ８２は、不揮発性のメモリ領域ではオペレーティングシステム、ファームウェア及びアプリケーションプログラムを記憶する。またメインメモリ８２は、プロセッサ８１が各部を制御するための処理を実行する上で必要なデータを不揮発性又は揮発性のメモリ領域で記憶する場合もある。メインメモリ８２は、揮発性のメモリ領域を、プロセッサ８１によってデータが適宜書き換えられるワークエリアとして使用する。
【００３２】
印字ヘッド８３は、プロセッサ８１による指示の下に任意の画像や文字をレシートロールに対してプリントする。印字ヘッド８３は、例えば、周知のサーマルヘッドである。印字ヘッド８３は、プリンタユニット４０の上部に設けたカバー４６の内側に取り付けられている。つまり、印字ヘッド８３は、プリンタユニット４０とともに収容部１２から引き出し可能となっている。このため、プリンタユニット４０を収容部１２から引き出した状態でもカバー４６を閉じた状態であればレシート用紙への印字が可能である。
【００３３】
ＬＥＤランプ８４は、オペレータに対し、プリンタユニット４０の状態を知らせるための報知手段として機能する。ＬＥＤランプ８４は、プリンタユニット４０の前面４１に設けられている。ＬＥＤランプ８４は、プリンタユニット４０が印字可能な状態にある場合に緑色で点灯するように制御され、プリンタユニット４０が印字禁止状態である場合に赤色で点灯するように制御される。
【００３４】
レシートロールセンサ８５は、プリンタユニット４０内にレシートロールが正常に装着されていることを検出する。ジャムセンサ８６は、プリンタユニット４０においてレシート用紙のジャムが発生していることを検出する。レシートロールセンサ８５及びジャムセンサ８６は、プリンタユニット４０の異常を検出する異常センサとして機能する。
【００３５】
収容センサ８７は、プリンタユニット４０の筐体１０への収容状態を検出する。つまり、収容センサ８７は、プリンタユニット４０が装置１００の収容部１２内に正常に装着されていることを検出する。具体的には、収容センサ８７は、プリンタユニット４０が収容部１２に装着されていることを検出するとともに、プリンタユニット４０が装置１００の筐体１０から引き出された図２、３の状態であることを検出する。
【００３６】
開閉センサ８８は、プリンタユニット４０のカバー４６の開閉状態を検出する。具体的には、開閉センサ８８は、カバー４６がプリンタユニット４０の開口部４４を塞ぐ閉位置に配置されていることを検出するとともに、カバー４６が開口部４４を全開にする図３に示す開位置に配置されていることを検出する。
【００３７】
カバー４６は、プリンタユニット４０を図２に示す位置に引き出した状態で図３に示すように開くことができる。言い換えると、カバー４６は、プリンタユニット４０を装置１００の筐体１０の収容部１２内に収容した状態では開くことができない。
【００３８】
インタフェースユニット８９には、操作パネル５０が例えば通信ケーブルを介して接続される。インタフェースユニット８９は、操作パネル５０との間での各種データの送受信を行う。インタフェースユニット８９としては、例えばＵＳＢ（universal serial bus）等の周知の規格に準拠した既製のデバイスを用いることができる。
【００３９】
伝送路９０は、アドレスバス、データバス及び制御信号線等を含み、接続された各部の間で授受されるデータ及び制御信号を伝送する。
【００４０】
以下、上述したプリンタユニット４０の第１の動作例について、図５を参照して説明する。
【００４１】
プリンタユニット４０が、操作パネル５０からの要求に応じてレシートを発行することが可能な動作状態に設定されると、プロセッサ８１は、メインメモリ８２に記憶されたファームウェア又はアプリケーションプログラムに従って以下に説明する情報処理を実行する。
【００４２】
Ａｃｔ１として、プロセッサ８１は、レシート用紙切れであるか否かを判断する。レシート用紙切れであるか否かは、レシート用紙を搬送する経路にレシート用紙を検出するセンサを設け、このセンサの出力により判断する。或いは、プリンタユニット４０内に収容配置したレシートロールのレシート用紙の残量を確認し、予め設定したしきい値と比較することで、レシート用紙切れであるか否かを判断してもよい。この場合、レシート用紙の残量は、例えば、新たなレシートロールに交換した後、装置１００によるレシート発行枚数をカウントし、予め設定したレシートの平均長さとレシート発行枚数を乗算することで算出することができる。プロセッサ８１は、Ａｃｔ１でレシート用紙切れを判断した場合（Ａｃｔ１；ＹＥＳ）、Ａｃｔ３へと進む。
【００４３】
Ａｃｔ１でレシート用紙切れではないことを判断した場合（Ａｃｔ１；ＮＯ）、プロセッサ８１は、Ａｃｔ２として、ジャムセンサ８６を介してジャムの有無を検出して、プリンタユニット４０にてレシート用紙のジャムが発生しているか否かを判断する。プロセッサ８１は、Ａｃｔ２でジャムが発生していることを判断した場合（Ａｃｔ２；ＹＥＳ）、Ａｃｔ３へと進む。一方、Ａｃｔ２でジャムが発生していないことを判断した場合（Ａｃｔ２；ＮＯ）、プロセッサ８１は、Ａｃｔ１に戻る。
【００４４】
Ａｃｔ３として、プロセッサ８１は、まず、プリンタユニット４０によるレシート用紙への印字を禁止する。次に、プロセッサ８１は、Ａｃｔ４として、ＬＥＤランプ８４を赤色で点灯させるとともに、操作画面５１を介してエラー表示をするための信号を操作パネル５０へ送信する。この際、エラー表示は、レシートロール切れやジャム発生をオペレータに報知する内容である。
【００４５】
そして、プロセッサ８１は、Ａｃｔ５として、レシートロールの交換或いはジャム処理のため、プリンタユニット４０が筐体１０の収容部１２から引き出されたか否かを判断する。このとき、プロセッサ８１は、収容センサ８７を介して、プリンタユニット４０が図２に図示した引き出し位置へ引き出された状態であるか否かを検出する。Ａｃｔ５でプリンタユニット４０が引き出された状態であることを判断した場合（Ａｃｔ５；ＹＥＳ）、プロセッサ８１は、Ａｃｔ６へ進む。
【００４６】
Ａｃｔ６として、プロセッサ８１は、開閉センサ８８を介して、プリンタユニット４０のカバー４６が図３に示す状態に開かれたか否かを判断する。Ａｃｔ６でカバー４６が開かれた状態であることを判断した後（Ａｃｔ６；ＹＥＳ）、Ａｃｔ７として、プロセッサ８１は、開閉センサ８８を介して、プリンタユニット４０のカバー４６が閉じられたか否かを判断する。Ａｃｔ７でカバー４６が閉じられたことをプロセッサ８１が判断するまで（Ａｃｔ７；ＮＯ）、すなわちカバー４６が開かれている状態のとき、オペレータは、レシートロールの交換作業やジャム処理作業を実施する。
【００４７】
Ａｃｔ７でカバー４６が閉じられたことを判断すると（Ａｃｔ７；ＹＥＳ）、プロセッサ８１は、Ａｃｔ８として、レシートロールセンサ８５を介して、レシートロールがプリンタユニット４０内の所定位置に正常に装着されているか否かを判断する。また、Ａｃｔ７でカバー４６が閉じられたことを判断すると（Ａｃｔ７；ＹＥＳ）、プロセッサ８１は、Ａｃｔ９として、ジャムセンサ８６を介して、プリンタユニット４０内でレシート用紙のジャムが無いことを確認する。
【００４８】
そして、Ａｃｔ８でレシートロールが正常に装着されていることを判断し、且つＡｃｔ９でジャムが無いことを判断した場合（Ａｃｔ８；ＹＥＳ、Ａｃｔ９；ＹＥＳ）、プロセッサ８１は、Ａｃｔ１０として、Ａｃｔ３で設定した印字禁止を解除してレシートロールへの印字を許可し、Ａｃｔ１１へ進む。
【００４９】
Ａｃｔ１１として、プロセッサ８１は、ＬＥＤランプ８４を緑色で点灯させるとともに、操作画面５１を介して表示していたエラー表示を終了するための信号を操作パネル５０へ送信する。これにより、ＬＥＤランプ８４が緑色で点灯する。
【００５０】
この状態で、プリンタユニット４０は、図２に示す位置に引き出されたままであるが、レシートロールへの印字が可能な状態となり、レシートの発行が可能な状態となる。つまり、第１の動作例によると、プリンタユニット４０がレシートを発行可能な状態で且つカバー４６が閉じられた状態であれば、プリンタユニット４０を引き出したままレシートの発行が可能であり、客にレシートを速やかに発行することができる。
【００５１】
また、第１の動作例によると、プリンタユニット４０を引き出した状態でも、プリンタユニット４０に異常が無い状態でカバー４６が閉じられると、レシートの発行が可能であることを報知するＬＥＤランプ８４を緑色で点灯させる。このため、オペレータは、プリンタユニット４０を収容部１２へ収容する前にプリンタユニット４０が正常に動作可能であることを判断することができ、レシートロールの交換作業やジャム処理作業の終了を速い段階で知ることができる。これにより、プリンタユニット４０を収容部１２へ押し込んでから動作確認する必要がなく、客に対してレシートを速やかに発行することができる。
【００５２】
次に、プリンタユニット４０の第２の動作例について、図６を参照して説明する。なお、Ａｃｔ１〜Ａｃｔ１１は上述した第１の動作例と略同じであるため、ここではその説明の大部分を省略する。
【００５３】
第２の動作例では、プロセッサ８１は、Ａｃｔ８でレシートロール有りを判断し且つＡｃｔ９でジャム無しを判断した後、Ａｃｔ１０として、Ａｃｔ３で設定した印字禁止を解除してレシートの発行を一枚だけ許可する。このとき、プロセッサ８１は、Ａｃｔ３で印字禁止にする直前にスキャンした商品のコード情報に基づくレシートの発行を一枚だけ許可し、Ａｃｔ１１へ進む。
【００５４】
そして、プロセッサ８１は、Ａｃｔ１１として、ＬＥＤランプ８４を緑色で点灯させるとともに、操作画面５１を介して表示していたエラー表示を終了するための信号を操作パネル５０へ送信し、Ａｃｔ１２へ進む。Ａｃｔ１２として、プロセッサ８１は、レシートを一枚だけ発行し、Ａｃｔ１３へ進む。
【００５５】
この後、プロセッサ８１は、Ａｃｔ１３として、プリンタユニット４０によるレシート用紙への印字を禁止し、Ａｃｔ１４へ進む。そして、Ａｃｔ１４として、プロセッサ８１は、収容センサ８７を介して、プリンタユニット４０が収容部１２へ収容されたか否かを判断し、プリンタユニット４０が収容部１２へ収容された場合（Ａｃｔ１４；ＹＥＳ）に、Ａｃｔ１５へ進む。
【００５６】
最後に、Ａｃｔ１５として、プロセッサ８１は、Ａｃｔ１３で設定した印字禁止状態を解除し、Ａｃｔ１へ戻る。
【００５７】
以上のように、第２の動作例によると、プリンタユニット４０を引き出したままの状態で一枚だけレシートの発行を許可するようにしたため、レシートロールの交換作業或いはジャム処理作業の終了を待っている客に対してレシートを速やかに発行することができる。
【００５８】
また、第２の動作例によると、一度だけレシートを発行した後、プリンタユニット４０を収容部１２へ収容するまで、プリンタユニット４０による印字を禁止するようにしたため、プリンタユニット４０を引き出した状態のまま処理を続けることを防止することができる。
【００５９】
以上述べた実施形態の商品データ処理装置によれば、プリンタユニット４０におけるレシートロールの交換作業やジャム処理作業の後、プリンタユニット４０を筐体１０から引き出した状態のまま、レシートの発行が可能となる。このため、レシートロールの交換やジャム処理作業の終了後にレシートを速やかに発行することができ、利便性を向上させることができる。
【００６０】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００６１】
例えば、上述した実施形態では、レシートの発行を許可したことをオペレータに知らせる報知手段としてＬＥＤランプ８４を用いた場合について説明したが、これに限らず、音声案内を発生させるスピーカを報知手段として用いても良い。
【符号の説明】
【００６２】
１０…筐体、１１…前面、１２…収容部、３０…スキャナユニット、４０…プリンタユニット、４２…排出口、４３…レール、４４…開口部、４６…カバー、５０…操作パネル、５１…操作画面、８１…プロセッサ、８２…メインメモリ、８３…印字ヘッド、８４…ＬＥＤランプ、８５…レシートロールセンサ、８６…ジャムセンサ、８７…収容センサ、８８…開閉センサ、８９…インタフェースユニット、９０…伝送路、１００…商品データ処理装置、Ｓ…作業スペース。
【図１】
2019144993.tif 000003
【図２】
2019144993.tif 000004
【図３】
2019144993.tif 000005
【図４】
2019144993.tif 000006
【図５】
2019144993.tif 000007
【図６】
2019144993.tif 000008
【図７】
2019144993.tif 000009
【図８】
2019144993.tif 000010